【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】データ転送システム、データ提供装置、その制御方法、それを実施させるためのプログラム及びそれをコンピュータ装置読出し可能に記憶した記憶媒体
【手続補正２】
【補正対象書類名】明細書
【補正対象項目名】特許請求の範囲
【補正方法】変更
【補正の内容】
【特許請求の範囲】
【請求項１】
ネットワーク経由でデータを転送するデータ転送システムにおいて、
データ提供装置は、
データをデータベースに記憶する記憶手段と、
前記データについて、データ要求装置によって利用可能であるか否か、前記データ要求装置によって取得済みであるか否か、あるいは前記データ要求装置によって取得された回数のうち少なくとも１つに関する管理情報をテーブルに格納する管理手段と、
前記データ要求装置からのデータの取得要求に応答して、前記管理手段により格納された管理情報を参照する参照手段と、
前記参照手段による参照結果に基づき、前記データ要求装置への前記データの転送を許可する許可手段とを備え、
前記データ要求装置は、
前記データ提供装置から転送されたデータを取得して出力処理を実行する出力処理手段を備えることを特徴とするデータ転送システム。
【請求項２】
前記参照手段による参照の結果、前記管理手段により格納された管理情報が、前記画像データが前記データ要求装置によって利用可能であり、前記データ要求装置によって取得済みでないことを示している場合に、前記許可手段は前記データ要求装置への前記データの転送を許可することを特徴とする請求項１に記載のデータ転送システム。
【請求項３】
前記許可手段により前記データ要求装置への前記データの転送を許可されなかった場合に、指定された宛先へ電子メールを送信する電子メール送信手段とを更に備えることを特徴とする請求項１に記載のデータ転送システム。
【請求項４】
前記データベースに記憶されたデータは画像であり、
前記データ提供装置へ転送されるデータは印刷に使用される画像データであることを特徴とする請求項１に記載のデータ転送システム。
【請求項５】
データをデータベースに記憶する記憶手段と、
前記データについて、データ要求装置によって利用可能であるか否か、前記データ要求装置によって取得済みであるか否か、あるいは前記データ要求装置によって取得された回数のうち少なくとも１つに関する管理情報をテーブルに格納する管理手段と、
前記データ要求装置からのデータの取得要求に応答して、前記管理手段により格納された管理情報を参照する参照手段と、
前記参照手段による参照結果に基づき、前記データ要求装置への前記データの転送を許可する許可手段とを備えることを特徴とするデータ提供装置。
【請求項６】
データをデータベースに記憶するステップと、
前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、
前記データ要求装置からのデータの取得要求に応答して、前記テーブルに格納された管理情報を参照するステップと、
前記参照結果に基づき、前記データ要求装置への前記データの転送を許可するステップとを備えることを特徴とするデータ提供装置の制御方法。
【請求項７】
データをデータベースに記憶するステップと、
前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、
前記データ要求装置からのデータの取得要求に応答して、前記テーブルに格納された管理情報を参照するステップと、
前記参照結果に基づき、前記データ要求装置への前記データの転送を許可するステップとを備えることを特徴とする制御方法をコンピュータ装置に実施させるためのプログラム。
【請求項８】
データをデータベースに記憶するステップと、
前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、
前記データ要求装置からのデータの取得要求に応答して、前記テーブルに格納された管理情報を参照するステップと、
前記参照結果に基づき、前記データ要求装置への前記データの転送を許可するステップとを備えることを特徴とする制御方法を実施させるためのプログラムをコンピュータ装置読出し可能に記憶した記憶媒体。
【手続補正３】
【補正対象書類名】明細書
【補正対象項目名】０００１
【補正方法】変更
【補正の内容】
【０００１】
【発明の属する技術分野】
本発明は、画像データを記憶するデータ提供装置が、画像データをデータ要求装置に転送して印刷出力処理などの各種処理を行わせるサービスを提供するためのデータ転送システム、データ提供装置、その制御方法、それを実施させるためのプログラム及びそれをコンピュータ装置読出し可能に記憶した記憶媒体に関するものである。
【手続補正４】
【補正対象書類名】明細書
【補正対象項目名】０００７
【補正方法】変更
【補正の内容】
【０００７】
そこで、本発明は、前記従来技術の問題点を解決するために提案されたものであり、データ提供装置からデータ要求装置へ、重複した不要な画像データが転送されないように、また、不正に画像データが流出しないように制御することを目的とする。
【手続補正５】
【補正対象書類名】明細書
【補正対象項目名】０００８
【補正方法】変更
【補正の内容】
【０００８】
【課題を解決するための手段】
この課題を解決するために、本発明のデータ転送システムは、ネットワーク経由でデータを転送するデータ転送システムにおいて、データ提供装置は、データをデータベースに記憶する記憶手段と、前記データについて、データ要求装置によって利用可能であるか否か、前記データ要求装置によって取得済みであるか否か、あるいは前記データ要求装置によって取得された回数のうち少なくとも１つに関する管理情報をテーブルに格納する管理手段と、前記データ要求装置からのデータの取得要求に応答して、前記管理手段により格納された管理情報を参照する参照手段と、前記参照手段による参照結果に基づき、前記データ要求装置への前記データの転送を許可する許可手段とを備え、前記データ要求装置は、前記データ提供装置から転送されたデータを取得して出力処理を実行する出力処理手段を備えることを特徴とする。
【手続補正６】
【補正対象書類名】明細書
【補正対象項目名】０００９
【補正方法】変更
【補正の内容】
【０００９】
ここで、前記参照手段による参照の結果、前記管理手段により格納された管理情報が、前記画像データが前記データ要求装置によって利用可能であり、前記データ要求装置によって取得済みでないことを示している場合に、前記許可手段は前記データ要求装置への前記データの転送を許可する。また、前記許可手段により前記データ要求装置への前記データの転送を許可されなかった場合に、指定された宛先へ電子メールを送信する電子メール送信手段とを更に備える。また、前記データベースに記憶されたデータは画像であり、前記データ提供装置へ転送されるデータは印刷に使用される画像データである。
【手続補正７】
【補正対象書類名】明細書
【補正対象項目名】００１０
【補正方法】変更
【補正の内容】
【００１０】
又、本発明のデータ提供装置は、データをデータベースに記憶する記憶手段と、前記データについて、データ要求装置によって利用可能であるか否か、前記データ要求装置によって取得済みであるか否か、あるいは前記データ要求装置によって取得された回数のうち少なくとも１つに関する管理情報をテーブルに格納する管理手段と、前記データ要求装置からのデータの取得要求に応答して、前記管理手段により格納された管理情報を参照する参照手段と、前記参照手段による参照結果に基づき、前記データ要求装置への前記データの転送を許可する許可手段とを備えることを特徴とする。
【手続補正８】
【補正対象書類名】明細書
【補正対象項目名】００１１
【補正方法】変更
【補正の内容】
【００１１】
又、本発明のデータ提供装置の制御方法は、データをデータベースに記憶するステップと、前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、前記データ要求装置からのデータの取得要求に応答して、前記テーブルに格納された管理情報を参照するステップと、前記参照結果に基づき、前記データ要求装置への前記データの転送を許可するステップとを備えることを特徴とする。
【手続補正９】
【補正対象書類名】明細書
【補正対象項目名】００１２
【補正方法】変更
【補正の内容】
【００１２】
又、本発明のプログラムは、データをデータベースに記憶するステップと、前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、前記データ要求装置からのデータの取得要求に応答して、前記テーブルに格納された管理情報を参照するステップと、前記参照結果に基づき、前記データ要求装置への前記データの転送を許可するステップとを備えることを特徴とする制御方法をコンピュータ装置に実施させる。
【手続補正１０】
【補正対象書類名】明細書
【補正対象項目名】００１３
【補正方法】変更
【補正の内容】
【００１３】
又、本発明の記憶媒体は、データをデータベースに記憶するステップと、前記データについて、データ要求装置によって利用可能であるか否か、前記データ要求装置によって取得済みであるか否か、あるいは前記データ要求装置によって取得された回数のうち少なくとも１つに関する管理情報をテーブルに格納するステップと、前記データ要求装置からのデータの取得要求に応答して、前記テーブルに格納された管理情報を参照するステップと、前記参照結果に基づき、前記データ要求装置への前記データの転送を許可するステップとを備えることを特徴とする制御方法を実施させるためのプログラムをコンピュータ装置読出し可能に記憶する。
【手続補正１１】
【補正対象書類名】明細書
【補正対象項目名】００１４
【補正方法】削除
【補正の内容】
【手続補正１２】
【補正対象書類名】明細書
【補正対象項目名】０３４５
【補正方法】変更
【補正の内容】
【０３４５】
【発明の効果】
以上説明したように、本発明によれば、データ提供装置からデータ要求装置へ、重複した不要な画像データが転送されないように、また、不正に画像データが流出しないように制御することができる。